(57)【要約】      （修正有）【課題】配水管、特に配水支管に穿孔して、その孔に合成ゴム製の止水栓を圧嵌入して、一旦通水を止める技術を伴う工程にあって、その止水栓の圧嵌入前、及び取り外しの際に孔が開放されたままとなってしまい、これを一時的にも止める簡易仕切弁装置を提供する。【解決手段】配水管１上部に団設されるサドル２を有し、そのサドル２の上部分にアダプターを取り付けるフランジを有する短管４を備え、その短管４の一方側面の連通孔に、その連通孔から出入し短管４内を開閉するスライド弁の収容ケース６を固着してあることとし、スライド弁は収容ケース６の外方に突出された操作杆に取り付けられる回転ハンドル１０によりスライド操作されることとする。【選択図】図５
2013019524.tif 000002
【特許請求の範囲】
【請求項１】
配水管上部に団設されるサドルを有し、そのサドルの上部分にアダプターを取り付けるフランジを有する短管を備え、その短管の一方側面の連通孔に、その連通孔から出入し短管内を開閉するスライド弁の収容ケースを固着してあることを特徴とする簡易仕切弁装置。
【請求項２】
前記したスライド弁は収容ケースの外方に突出された操作杆に取り付けられる回転ハンドルによりスライド操作されることを特徴とする請求項１に記載の簡易仕切弁装置。
【請求項３】
前記したスライド弁は少なくとも先端側が前記した短管の内壁と合致する円弧縁が形成されていることを特徴とする請求項１または２に記載の簡易仕切弁装置。
【発明の詳細な説明】
【技術分野】
【０００１】
本発明は簡易仕切弁装置に関し、特に配水支管の改修、例えば新規バルブの装着や管の修理、交換、管栓に際して、一時的に必要な止水後を行い、即時に通水状態を復元することもでき、取り扱いや作業が容易な簡易仕切弁装置に関する。
【背景技術】
【０００２】
従来、上記した配水支管の改修を実施するについて、配水支管に穿孔機を用いて穿孔し、その穿設された孔に上方より合成ゴム製の止水栓を圧嵌入して、配水支管内の通水を仮止水することが知られている。
【０００３】
しかしながら、この従来の工法にあっては、穿孔後、止水栓を圧嵌入するまでの間、その穿孔は開放されているために、流水圧で水が溢れてしまうこととなる。これを防止するためには、配水支管の穿孔部分の少なくとも一次側を凍結、もしくは断水弁によって通水を止めなければならず、どうしても断水状態を生じてしまうこととなる。
【０００４】
また、止水栓を圧嵌入した後、その止水栓を引き上げ、次工程の作業を行なうにしても同様に穿孔からの水の溢れ出は余儀なくされてしまうこととなる。
【先行技術文献】
【特許文献】
【０００５】
出願人は、本願発明に関し、先行する技術文献を調査したが、格別に本願発明と関連し、類似すると思われる文献は発見することができなかった。
【発明の概要】
【発明が解決しようとする課題】
【０００６】
本願発明が解決しようとする問題点は、配水管、特に配水支管に穿孔して、その孔に合成ゴム製の止水栓を圧嵌入して、一旦通水を止める技術を伴う工程にあって、その止水栓の圧嵌入前、及び取り外しの際に孔が開放されたままとなってしまい、これを一時的にも止める技術が存在していなかったという点である。
【課題を解決するための手段】
【０００７】
上記した問題点を解決するために、本発明に係る簡易仕切弁装置は、配水管上部に団設されるサドルを有し、そのサドルの上部分にアダプターを取り付けるフランジを有する短管を備え、その短管の一方側面の連通孔に、その連通孔から出入し短管内を開閉するスライド弁の収容ケースを固着してあることを特徴とし、前記したスライド弁は収容ケースの外方に突出された操作杆に取り付けられる回転ハンドルによりスライド操作されることを特徴とし、前記したスライド弁は少なくとも先端側が前記した短管の内壁と合致する円弧縁が形成されていることを特徴としている。
【発明の効果】
【０００８】
本発明に係る簡易仕切弁装置は上記のように構成されている。そのため、サドル上部に一体に設けられたフランジ付き短管内を随意にスライド弁によって開閉することができ、配水管に穿設された透孔からの溢水を防止することができ、付随して行なわれる主たる作業工程を容易に実行することができ、配水管を凍結したり、制水弁で止水する必要性もなく、短時間で配水管の環境を復元することができる。
【図面の簡単な説明】
【０００９】
【図１】配水支管へのサドル及びスライド弁の収容ケースの取り付け状態を示す平面図である。
【図２】斜視図である。
【図３Ａ】アダプターを取り付けた状態の平面図である。
【図３Ｂ】スライド弁を一部作動した状態を示す平面図である。
【図４】スライド弁の全閉状態を示す平面図である。
【図５】止水栓の圧嵌入状態を示す図である。
【発明を実施するための形態】
【００１０】
図面として示し、実施例で説明したように構成したことで実現した。
【実施例１】
【００１１】
次に、本発明の好ましい実施の一例を図面を参照して説明する。図中１は本発明に係る簡易仕切弁装置が装備される配水支管を示している。この配水支管１の目的箇所にはサドル２が装着される。このサドル２は配水支管１の上面に跨設されるものとされ、その左右のフランジを配水支管１の下側から取り付けられる下側バンド体のフランジとボルト締結によって、配水支管１の外周面に固着される。
【００１２】
このサドル２の上部には上面にフランジ３を一体に形成した短管４が設けられている。このフランジ３には後述するアダプターを固着するためのボルト穴が等ピッチで複数個形成されている。また、このフランジ３は配水支管１の軸芯と直交する方向に延長片５が一体に形成されている。
【００１３】
この延長片５には短管４内へ連通する連通孔が形成されており、この連通孔の開口が延長片５の端面に形成されている。また、この延長片５の端部には後述するスライド弁の収容ケース６の前端面フランジ６ａを受け、固着するためのカバーキャップ７が取り付け固着される。このカバーキャップ７の端面には、後述するスライド弁が通行するスリット孔が形成されている。
【００１４】
前記した収容ケース６内にはスライド弁８が収容されており、このスライド弁８には操作杆９が連接され、その操作杆９の端部が収容ケース６の外方へ突出されている。この操作杆９の突出部分には内部ナットを回転操作するハンドル１０が取り付けられる。尚、スライド弁８の少なくとも前端は短管４の内面と合致する弧状となっており、短管４の内面に形成された受溝１１に、その前端が嵌め合わされることで、短管４内を気密に閉塞する。
【００１５】
前記した操作杆９にはネジが刻設されているもので、収容ケース６内に設けられたナットと螺合し、ハンドル１０を操作することでナットを回転させ、操作杆９を前後進させて、スライド弁８を推進もしくは引き戻す。収容ケース６の内壁面にはスライド弁８をスライドガイドするガイド溝を形成することもできる。
【００１６】
ここで、前記した短管４のフランジ３上にはアダプター１２がそのフランジ１２ａをボルトにより固着される。このアダプター１２の中央には短管４との連通孔が設けられており、フランジ１２ａには作業用の工具を止着するためのピンが複数本立設されている。
【００１７】
まず、このアダプター１２には配水支管１に孔を穿設するための穿孔機が取り付けられる。この穿孔機における穿孔カッターは、下端に複数の刃をリング状に並設したもので、モータにより駆動される。穿孔カッターは配水支管１の上面を円形に切り取り、その切り取った部分を刃内に保持し、穿孔カッターの引き上げと共に除去する。尚、図中１３はアダプター１２に設けられた水抜き用の栓である。
【００１８】
前記した穿孔カッターの引き上げ後、配水支管１に穿設された孔からの溢水を止めるため、ハンドル１０を回転させ、スライド弁８を短管４内に挿入し、止水した後に、アダプター１２から穿孔機を取り外す。
【００１９】
その後に、スライド弁８の閉状態のまま、今度はアダプター１２のフランジ１２ａに対し、合成ゴム製の止水栓１４の圧嵌入機１４ａを固着し、スライド弁８を開として、配水支管１の穿孔に対し、止水栓１４を圧嵌入し、配水支管１内の通水を止める。
【００２０】
この止水栓１４による止水を行なった後に、その止水栓１４の二次側となる配水支管１を切断し、その残った配水支管１の切断口から止水パッキンを圧入し、止水栓１４を引き上げる。その引き上げ後に、前記止水パッキンを本管まで押し込み本管を止水して、配水支管１の残余部分を切断し、本管に対し、新規バルブ（ゲートタイプ）を付すか、管栓を実施することとなる。
【００２１】
また、穿孔後に、止水栓１４の使用をしない場合、スライド弁８及びその収容ケース６を残して、アダプター１２を取り外し、短管４のフランジ３に新規バルブを取り付け、その新規バルブを閉状態とし、スライド弁８及びその収容ケース６を撤去する。フランジ３の延長片５の連通孔を蓋で閉塞して作業を終了とすることもできる。
【００２２】
本発明に係る簡易仕切弁装置は上記のように構成され、使用される。そのため、フランジ付きのサドルを用い、配管に穿孔を施す作業を伴う場合、その穿孔からの溢水を容易に止水し、また、容易に通水し、付随する種々の作業を実行することができる。
【符号の説明】
【００２３】
１    配水支管
２    サドル
３    フランジ
４    短管
５    延長片
６    収容ケース
６ａ  フランジ
７    カバーキャップ
８    スライド弁
９    操作杆
１０  ハンドル
１１  受溝
１２  アダプター
１２ａ  フランジ
１３  栓
１４  止水栓
１４ａ  圧嵌入機
【図１】
2013019524.tif 000003
【図２】
2013019524.tif 000004
【図３Ａ】
2013019524.tif 000005
【図３Ｂ】
2013019524.tif 000006
【図４】
2013019524.tif 000007
【図５】
2013019524.tif 000008